(57)【要約】【課題】計測器によりモニタすることなく目視により対向する２つのミラーの光軸を一致させることができるファイバユニットを提供する。【解決手段】光ファイバ３５からの光を所定方向に反射するミラー１１を有するミラー組立体３とミラー１１で反射された光を入射し所定方向に反射して光ファイバ３６に投光するミラー１３を有するミラー組立体４と、これらの組立体を離隔対向させかつミラー１１の反射光の光軸Ｏｆとミラー１３の入射光の光軸Ｏｆ’とが一致するように取り付けられるハウジング２とを備え、ミラー組立体３，４を収容しハウジング２に対向する内側面５ｂ，６ｂが平行に取り付けられるヘッド５，６を有し、ヘッド５，６は内側面にミラー１１，１３の光軸方向から見た外周の形状と同じ形状の窓５ｅ，６ｅが形成され、ミラー１１，１３は反射面の外周が窓５ｅ，６ｅと一致して収容されている。【選択図】図３
2008020509.tif 000002
【特許請求の範囲】
【請求項１】
投光側の光ファイバから投光された光を入射し所定方向に反射するミラーと該ミラーを保持する保持部材とを有する投光側のミラー組立体と、前記投光側のミラーで反射された光を入射し所定方向に反射して受光側の光ファイバに投光するミラーと該ミラーを保持する保持部材とを有する受光側のミラー組立体と、前記投光側のミラー組立体と受光側のミラー組立体とが離隔対向してかつ投光側のミラーの反射光の光軸と受光側のミラーの入射光の光軸とが一致するように取り付けられるハウジングとを備えたファイバユニットであって、
前記各保持部材には前記各ミラーを介して投受光するための開口部が夫々形成され、
前記投光側のミラー組立体と受光側のミラー組立体を夫々収容し前記ハウジングに離隔対向してかつ対向する内側面が平行に取り付けられる投光側のヘッドと受光側のヘッドとを有し、
前記ヘッドは対向する内側面に前記ミラーの反射面の光軸方向から見た前記開口部の輪郭と同じ形状の窓が形成され、前記ミラーの反射面の光軸方向から見た前記開口部の輪郭が前記窓の縁と一致して収容されていることを特徴とするファイバユニット。
【請求項２】
投光側の光ファイバから投光された光を入射し所定方向に反射するミラーと該ミラーを保持する保持部材とを有する投光側のミラー組立体と、前記投光側のミラーで反射された光を入射し所定方向に反射して受光側の光ファイバに投光するミラーと該ミラーを保持する保持部材とを有する受光側のミラー組立体とが離隔対向してかつ投光側のミラーの反射光の光軸と受光側のミラーの入射光の光軸とが一致するようにハウジングに組み付けるファイバユニットの組立方法であって、
一側の端面に垂直に前記ミラー組立体を収容する穴が形成され、一側の側面に前記穴に開口し前記ミラーの反射面の光軸方向から見た外周の形状と同じ形状の窓が形成された投光側のヘッドと受光側のヘッドとを形成し、
前記ハウジングの両側部上端に前記投光側及び受光側のヘッドが離隔対向しかつ前記一側面が平行に対向して嵌合する切欠を形成し、
前記各ヘッドに夫々前記ミラー組立体を挿入しかつミラーの反射面の光軸方向から見た外周を前記窓と一致させて収容し、
前記ハウジングの両側の切欠に前記投光側のヘッドと受光側のヘッドを各一側面を平行に対向させて嵌合するようにしたことを特徴とするファイバユニットの組立方法。
【発明の詳細な説明】
【技術分野】
【０００１】
本発明は、投光側の光ファイバと受光側の光ファイバとをミラーを介して光接続するファイバユニット及びファイバユニットの組立方法に関する。
【背景技術】
【０００２】
発光素子に接続された光ファイバと受光素子に接続された光ファイバとを離隔対向させて配置し、これらの間に光を横切るように被検出体を配置して該被検出体の欠陥の有無を検出したり、或いは光を横切るように被検出体を通過させるようにして被検出体の有無等を検出する光検出装置は周知である。なお、光ファイバ同士を光学的に接続する場合、両者の光軸を正確に一致させることが必要である（例えば、特許文献１参照）。
【０００３】
図１６は、従来の溝形のファイバユニットの一例を示す。ファイバユニット３１は、ハウジング３２、ハウジング３２の左右両側に取り付けられた投光側のミラー組立体３３、受光側のミラー組立体３４からなる。ミラー組立体３３は、円柱形状をなし下端面が中心軸と４５°をなす反射面４１ａとされたミラー４１と、円筒形状をなしミラー４１を収容し側面から見て略コ字状をなし正面から見て矩形状をなしてミラー４１の反射面４１ａに開口する窓４２ａが形成された保持部材４２とにより形成されている。
【０００４】
ミラー組立体３４もミラー組立体３３と同様にミラー４３と保持部材４４とにより形成されている。そして、これらのミラー組立体３３と３４は、ミラー４１の反射光の光軸とミラー４３の入射光の光軸とが一致するようにハウジング３２に取り付けられている。
【０００５】
投光側の光ファイバ３５と受光側の光ファイバ３６は、各一端がハウジング３２に形成された孔３２ａ，３２ｂに挿入され口金（取付金具）３７，３８で固定されて各ミラー４１，ミラー４３の反射面４１ａ，４３ａと対向し、各他端が計測器３０の図示しない発光素子、受光素子に光学的に接続されている。
【０００６】
計測器３０から光ファイバ３５に矢印で示すように投光された光は、ミラー４１の反射面４１ａで反射され、更にミラー４３の反射面４３ａで反射されて光ファイバ３６に入射し計測器３０に導かれる。そして、２つの反射面４１ａと４３ａとの間に光を横切るように被検出体例えば半導体ウェハを切断するカッタの刃先を配置してその摩耗や破損等を検出する。
【特許文献１】特開平９−３０４６５３号公報（２−３頁、図３）
【発明の開示】
【発明が解決しようとする課題】
【０００７】
上記構造のファイバユニット３１において投光側のミラー４１の反射光の光軸と受光側のミラー４３の入射光の光軸とを一致させるための光軸調整は、受光素子で受光する光量値を計測器でモニタしながら投光側のミラー組立体３３、受光側のミラー組立体３４を夫々矢印のように回転させて光量値がピーク値となるように調整している。ミラー４１，４３は、形状が非常に小さいためにピーク値の変化が急峻となり、光軸調整に非常に手間が掛かり、ファイバユニット３１の組み立ての作業性が悪い。
【０００８】
本発明の目的は、計測器によりモニタすることなく目視により対向する２つのミラーの光軸を一致させることができるファイバユニット及びファイバユニットの組立方法を提供することにある。
【課題を解決するための手段】
【０００９】
上述した課題を解決するために、本発明に係わるファイバユニットは、投光側の光ファイバから投光された光を入射し所定方向に反射するミラーと該ミラーを保持する保持部材とを有する投光側のミラー組立体と、前記投光側のミラーで反射された光を入射し所定方向に反射して受光側の光ファイバに投光するミラーと該ミラーを保持する保持部材とを有する受光側のミラー組立体と、前記投光側のミラー組立体と受光側のミラー組立体とが離隔対向してかつ投光側のミラーの反射光の光軸と受光側のミラーの入射光の光軸とが一致するように取り付けられるハウジングとを備えたファイバユニットであって、
前記各保持部材には前記各ミラーを介して投受光するための開口部が夫々形成され、前記投光側のミラー組立体と受光側のミラー組立体を夫々収容し前記ハウジングに離隔対向してかつ対向する内側面が平行に取り付けられる投光側のヘッドと受光側のヘッドとを有し、前記ヘッドは対向する内側面に前記ミラーの反射面の光軸方向から見た前記開口部の輪郭と同じ形状の窓が形成され、前記ミラーの反射面の光軸方向から見た前記開口部の輪郭が前記窓の縁と一致して収容されていることを特徴としている。
【００１０】
投光側のミラー組立体を投光側のヘッドに収容し、ミラーの反射面の光軸方向から見た開口部の輪郭とヘッドの内側面に形成した窓の縁とを一致させる。同様にして受光側のミラー組立体を受光側のヘッドに収容する。そして、これらの投光側のヘッドと受光側のヘッドとを各内側面を平行に対向させてハウジングの両側に取り付ける。これにより、投光側のミラーの反射光の光軸と受光側のミラーの入射光の光軸とを一致させることができる。
【００１１】
好ましくは、本発明にかかるファイバユニットは、前記ミラーが円柱形状をなし一側端面が中心軸に対して４５°の角度をなす反射面とされ該反射面の外周が光軸方向から見て円形をなし、前記保持部材は円筒形状をなし前記円柱形状のミラーを嵌挿収容し周面に前記反射面と対向して開口する窓が形成され、前記ヘッドは直方体形状をなし下面に垂直に前記円筒形状の保持部材を収容する穴が形成され、内側面に垂直に前記穴に開口し前記反射面の光軸方向から見た外周の円形と同径の円形の窓が形成され、前記ハウジングは直方体の両側部上端に前記投光側及び受光側のヘッドが離隔対向しかつ対向する内側面が平行をなして嵌合される角形の切欠が形成されているのが良い。
【００１２】
円筒形状の保持部材に円柱形状のミラーを嵌挿し反射面を窓と一致させる。このミラー組立体を直方体形状のヘッドの下面に形成した穴に嵌挿し、内側面に形成した円形の窓と光軸方向から見て円形の反射面とを一致させる。これにより、反射面の光軸がヘッドの内側面に対して垂直になる。このように形成した投光側のヘッドと受光側のヘッドをハウジングの両側部上端の切欠に嵌合させて対向する内側面を平行に取り付け、投光側のミラーの反射面と受光側のミラーの反射面とを対向させる。これにより、投光側のミラーの反射光の光軸と受光側のミラーの入射光の光軸とが一致する。
【００１３】
また、好ましくは、本発明にかかるファイバユニットは、前記保持部材の窓が、側面から見て９０°の角度をなして開口し正面から見て前記反射面の光軸方向から見た外周の円形と同径の円形をなして開口し、前記ミラーの反射面が前記窓の一側の開口端面と一致しているのが良い。
【００１４】
円筒形状の保持部材に円柱形状のミラーを嵌挿し、反射面を窓の開口する一側端面に一致させる。ミラーの反射面と窓は、反射面の光軸方向から見て円形をなしており、反射面と窓の一側の端面とを一致させることでミラーの反射面と窓とを正確かつ容易に位置決めして一致させることができる。
【００１５】
また、好ましくは、本発明にかかるファイバユニットは、前記ハウジングは切欠の上面から下面まで貫通する孔が形成され、前記孔の上部に前記ヘッドの下面から突出した保持部材が嵌合され、下面の開口端から光ファイバの端末が挿入され前記保持部材を通して前記反射面と対向するのが良い。
【００１６】
保持部材のヘッドの下面から突出した部位をハウジングの孔の上部に嵌合させてハウジングにヘッドを固定する。そして、ハウジングの下面に開口する孔から光ファイバの端末を挿入し保持部材を通して端面を反射面と対向させてハウジングユニットに光ファイバを取り付ける。
【００１７】
また、本発明の請求項２に記載のファイバユニットの組立方法は、投光側の光ファイバから投光された光を入射し所定方向に反射するミラーと該ミラーを保持する保持部材とを有する投光側のミラー組立体と、前記投光側のミラーで反射された光を入射し所定方向に反射して受光側の光ファイバに投光するミラーと該ミラーを保持する保持部材とを有する受光側のミラー組立体とが離隔対向してかつ投光側のミラーの反射光の光軸と受光側のミラーの入射光の光軸とが一致するようにハウジングに組み付けるファイバユニットの組立方法であって、
一側の端面に垂直に前記ミラー組立体を収容する穴が形成され、一側の側面に前記穴に開口して前記ミラーの反射面の光軸方向から見た外周の形状と同じ形状の窓が形成された投光側のヘッドと受光側のヘッドとを形成し、前記ハウジングの両側部上端に前記投光側及び受光側のヘッドが離隔対向しかつ前記一側面が平行に対向して嵌合する切欠を形成し、前記各ヘッドに夫々前記ミラー組立体を挿入しかつミラーの反射面の光軸方向から見た外周を前記窓と一致させて収容し、前記ハウジングの両側の切欠に前記投光側のヘッドと受光側のヘッドを各一側面を平行に対向させて嵌合するようにしたことを特徴としている。
【００１８】
直方体をなす投光側のヘッドの下面に形成された穴にミラー組立体を収容し、ミラーの反射面の光軸方向から見た外周とヘッドの一側面に形成した窓とを一致させる。同様にして受光側のミラー組立体を受光側のヘッドに収容する。そして、これらの投光側のヘッドと受光側のヘッドとをハウジングの両側に形成した角形の切欠に、各一側面を平行に対向させて取り付ける。これにより、投光側のミラーの反射面と受光側のミラーの反射面が対向し、かつ投光側のミラーの反射光の光軸と受光側のミラーの入射光の光軸とが一致する。
【００１９】
好ましくは、ミラーを円柱形状とし一側端面が中心軸に対して４５°の角度をなす反射面としてその外周が光軸方向から見て円形となるようにし、保持部材を円筒形状として前記ミラーを嵌挿収容し、周面に側面から見て９０°の角度をなして開口し正面から見て前記反射面の光軸方向から見た外周の円形と同径の円形をなして開口する窓を形成し、保持部材の窓の一側の開口端面とミラーの反射面とを一致させる。これにより、ミラー組立体の組立が容易になると共にミラー組立体をヘッドに容易にかつ正確に位置決めして組み付けることが可能となる。
【発明の効果】
【００２０】
本発明によると、投光側のミラー組立体を収容したヘッドと受光側のミラー組立体を収容したヘッドをハウジングに取り付けるだけで、投光側のミラーの反射光の光軸と受光側のミラーの入射光の光軸とを一致させることができ、計測器により光量値をモニタすることなく目視により簡単かつ容易に光軸調整を行うことができる。これにより、ファイバユニットの組み立て作業の作業性の向上が図られる。
【００２１】
また、円筒形状の保持部材に円柱形状のミラーを嵌挿したミラー組立体をヘッドの穴に嵌挿し、ミラーの光軸方向から円形に見える外周をヘッドの円形の窓と一致させることで、ヘッドの内側面に垂直にミラーの光軸を設定することができ、このヘッドをハウジングの角形の切欠に嵌合することで対向する投光側のミラーの光軸と受光側のミラーの光軸とを簡単に一致させることができる。
【００２２】
また、円筒形状の保持部材に円柱形状のミラーを嵌挿して保持部材の窓の一側開口端面にミラーの反射面を一致させることで、保持部材の窓とミラーの反射面とを一致させることができ、保持部材にミラーを簡単かつ正確に位置決めして組み付けることができる。
【００２３】
また、ハウジングの下面の開口端から光ファイバの端末を挿入してミラー組立体のミラーの反射面と対向させることで簡単に光ファイバユニットを構成することができる。
【発明を実施するための最良の形態】
【００２４】
以下、本発明の一実施形態に係わるファイバユニットについて図面に基づいて説明する。
【００２５】
図１及び図２に示すようにファイバユニット１は、例えば溝形のファイバユニットで、ハウジング２、ハウジング２の左右両側上部に装着された後述する投光側のミラー組立体３、受光側のミラー組立体４（図３参照）を収容する投光側のヘッド５、受光側のヘッド６を備えている。ハウジング２には投光側の光ファイバ３５、受光側の光ファイバ３６の各一端が取り付けられて前記投光側のミラー組立体３、受光側のミラー組立体４に光学的に接続されている。
【００２６】
ハウジング２は、直方体の左右両側部上端に角形の切欠２ａ，２ｂが対称に形成された正面から見て略凸型の形状をなしている。切欠２ａ，２ｂの各上面２ｃ，２ｅは、下面２ｇから同一の高さ位置にある水平な面とされ、側面２ｄ，２ｆは、夫々上面２ｃ，２ｅと垂直をなしかつ平行な面とされている。
【００２７】
ヘッド５，６は、同一形状とされ、縦長の直方体形状をなし下面５ａ，６ａが切欠２ａ，２ｂの上面２ｃ，２ｅに載置され、内側面５ｂ，６ｂの下部が切欠２ａ，２ｂの側面２ｄ，２ｆに当接している。即ち、ヘッド５，６は、ハウジング２の左右の切欠２ａ，２ｂに嵌合されて当該ハウジング２に垂直にかつ対向する内側面５ｂと６ｂとが平行に配置されている。
【００２８】
ハウジング２は、図３に示すように切欠２ａ，２ｂの上面２ｃ，２ｅの略中央位置から下面２ｇまで垂直に光ファイバ３５，３６を挿通するための孔２ｈと孔２ｉ、孔２ｊと孔２ｋが貫通して形成されている。
【００２９】
孔２ｉ，２ｋは、孔２ｈ，２ｊよりも僅かに大径とされており、これらの孔２ｈと２ｉ、２ｊと２ｋは、略中央位置で段差をなしている。孔２ｉ，２ｋは、光ファイバ３５，３６の端末に装着された口金３７，３８が嵌合可能とされている。そして、ハウジング２の側面２ｍ，２ｎの下部位置に孔２ｉ，２ｋに開口するねじ穴２ｐ，２ｑが形成されている。
【００３０】
投光側のミラー組立体３は、ミラー１１とミラー１１の保持部材１２からなり、受光側のミラー組立体４は、ミラー１３とミラー１３の保持部材１４からなる。ミラー１１は、光ファイバ３５と略同径の円柱形状をなし、下端面が中心軸Ｏｍに対して４５°の角度をなす反射面１１ａとされている。この反射面１１ａは、中心軸Ｏｍ方向から入射した光を当該光軸Ｏｍに対して直角方向に反射する。
【００３１】
そして、反射面１１ａは、中心軸Ｏｍに対して直角方向即ち、反射光の光軸Ｏｆの方向（正面）から見ると図６に示すように外周１１ｂが円形（真円）をなしている。尚、ミラー１１は、反射面１１ａの先端１１ｃを僅かに面取して欠損することを防止している（図６、図７参照）。
【００３２】
保持部材１２は、円柱形状のミラー１１が嵌合し、ハウジング２の切欠２ａの上面２ｃに開口する孔２ｈに嵌合可能な円筒形状をなし、上端面１２ｆから所定の高さ位置に図５及び図６に示すように側面から見て直角二等辺三角形状をなして９０°の角度で開口し、正面から見て円形をなして開口する窓１２ａが形成されている。この窓１２ａは、中心軸Ｏまで開口している。
【００３３】
従って、窓１２ａは、中心軸Ｏに対して直角方向（正面、反射面１１ａの反射光の光軸Ｏｆ方向）から見ると図６に示すように当該保持部材１２の外径と内径に応じた同心円をなしている。外側の円１２ｄは、図５に示す窓１２ａの上下の開口端面１２ｂ，１２ｃの外周からなり、内側の円１２ｅは、開口端面１２ｂ，１２ｃの内周からなる。
【００３４】
外側の円１２ｄは、保持部材１２の外径と同一径をなして窓１２ａの縁部をなし、内側の円１２ｅの開口部が実質的な窓となる。そして、この円１２ｅがミラー１１の反射面１１ａの外周１１ｂを反射光の光軸Ｏｆ方向から見たときの円と同一形状の円となる。尚、以後分かり易くするために内側の円１２ｅを窓１２ａとして説明する。
【００３５】
図８及び図９は、保持部材１２にミラー１１を収容する手順の一例を示す。図８に示すように冶具２１は、例えば保持部材１２よりも大径の棒状をなしその先端部２１ａが保持部材１２の窓１２ａの開口角度（９０°）と同じ角度に形成されている。そして、保持部材１２の窓１２ａに冶具２１の先端部２１ａを挿入して上面２１ｂ、下面２１ｃを窓１２ａの上側の開口端面１２ｂ、下側の開口端面１２ｃに当接させる。
【００３６】
次いで、ミラー１１を保持部材１２の上側の開口端から反射面１１ａを下方に向けてかつ冶具２１の上面２１ｂに略合わせて挿入し、図９に示すように反射面１１ａを冶具２１の上面２１ｂに当接させる。
【００３７】
これにより、ミラー１１は、中心軸Ｏｍが保持部材１２の中心軸Ｏと一致し、反射面１１ａが中心軸Ｏｍに対して４５°の角度をなし、かつ図６に示すように反射面１１ａの外周１１ｂが窓１２ａと一致して保持部材１２に嵌合収容される。保持部材１２の窓１２ａを上述したような形状に形成して冶具２１を使用することにより、ミラー１１を保持部材１２に容易かつ正確に位置決めして収容することが可能である。受光側のミラー組立体４も図３に示すようにミラー１３、保持部材１４により投光側のミラー組立体３と同様に形成され、ミラー１３は、反射面１３ａの外周が窓１４ａと一致して保持部材１４に嵌合収容されている。
【００３８】
尚、保持部材１２の窓１２ａは、図５及び図６に示すように側面から見て直角二等辺三角形をなし、正面から見て円形となるような形状に限るものではなく、他の形状例えば側面から見てコ字状に開口し、正面から見てミラー１１の反射面１１ａの円形に見える外周１１ｂに外接する正方形状に開口するようにしても良い。即ち、保持部材１２の窓１２ａは、正面から見てミラー１１の反射面１１ａの反射光の光軸方向から見た外周１１ｂが円形に見える形状であればよい。
【００３９】
投光側のミラー組立体３を収容する投光側のヘッド５は、図１０及び図１１に示すように下面５ａの中央に垂直に所定深さの穴５ｃが形成されている。この穴５ｃは、図３に示すハウジング２の切欠２ａの上面２ｃに開口する孔２ｈと同径とされ、かつヘッド５を切欠２ａに取り付けたときに一致して連通可能とされている。そして、ヘッド５の内側面５ｂの略中央位置に当該内側面５ｂに垂直にかつ穴５ｃに垂直に開口する円形の窓（孔）５ｅ，５ｆが同心的にかつ段差をなして形成されている。
【００４０】
内側の窓５ｅは、図１２に示すようにミラー１１の反射面１１ａの外周１１ｂを反射光の光軸Ｏｆ方向から見たときの円と同径とされており、外側の窓５ｆは、内側の窓５ｅよりも僅かに大径とされている。そして、窓５ｅ，５ｆは、図１２及び図１３に示すように保持部材１２の上端面１２ｆが穴５ｃの底面５ｄに突き当たった状態においてミラー１１の反射面１１ａの反射光の光軸Ｏｆ方向から見た外周１１ｂの円及び保持部材１２の窓１２ａと一致するように設定されている。外側面５ｇの下部位置には穴５ｃに開口するねじ穴５ｈが形成されている。また、外側の窓５ｆには保護用のガラス１５が嵌め込まれている。ガラス１５は、表面１５ａがヘッド５の内側面５ｂと面一とされ投光面とされている。
【００４１】
受光側のミラー組立体４を収容する受光側のヘッド６も図３、図４に示すように投光側のヘッド５と同様に形成され、窓６ｅに防護用のガラス１６が嵌め込まれている。そして、ガラス１６の表面１６ａがヘッド６の内側面６ｂと面一にされて受光面とされている。
【００４２】
次に、上記構成のファイバユニット１を組み立てる手順について説明する。先ず、ミラー１１を収容した保持部材１２を図１２及び図１３に示すようにヘッド５の穴５ｃに上端面１２ｆが底面５ｄに突き当たるまで挿入する。次いで、ヘッド５の下面５ａから突出している保持部材１２の下部を掴んで矢印のように回転させながらミラー１１の反射面１１ａの光軸方向から見て円形に見える外周１１ｂを円形の内側の窓５ｅの縁と一致させる。そして、ねじ穴５ｈにねじ２３を螺合させてヘッド５に保持部材１２を固定する。
【００４３】
保持部材１２の窓１２ａとミラー１１の反射面１１ａの外周１１ｂは、図６に示すように正面（図３及び図４に示す反射面１１ａの反射光の光軸Ｏｆ方向）から見ると円形でかつ一致しており、ヘッド５の窓５ｅも図１０に示すように円形であり、ミラー組立体３をヘッド５に組み込み図１２、図１３に示すように窓５ｅと窓１２ａとを合わせることで、ミラー１１の反射面１１ａの反射光の光軸Ｏｆが窓５ｅ，５ｆの中心を通り、ガラス１５の表面１５ａに対して垂直となる。受光側のヘッド６に受光側のミラー組立体４を組み込む場合についても同様である。
【００４４】
尚、窓５ｅの大きさは、反射面１１ａの外周１１ｂの反射光の光軸Ｏｆ方向から見た円よりも大きく設定しても良い。この場合これら２つの円が同心円をなすように設定する。
【００４５】
図１５はミラー組立体３をヘッド５に組み込む際にヘッド５の同心円状をなす窓５ｅ，５ｆと保持部材１２の窓１２ａの外側の円１２ｄ、内側の円１２ｅがずれた状態にある場合を示す。この場合ミラー１１の反射面１１ａの反射光の光軸が窓５ｅ，５ｆの中心を通らなくなり、ガラス１５の表面１５ａに対して垂直にならなくなる。従って、ミラー組立体３をヘッド５に組み込む際にミラー１１の反射面１１ａの反射光の光軸のずれを目視により容易に判別することができる。
【００４６】
次いで、ヘッド５の下面５ａから突出している保持部材１２の下部を図１４に示すようにハウジング２の切欠２ａの上面２ｃに開口している孔２ｈに挿入し、ヘッド５の下面５ａと内側面５ｂを切欠２ａの上面２ｃと側面２ｄに当接して嵌合し例えば接着剤により固定する。このようにして、ハウジング２の一側の切欠２ａに投光側のミラー組立体３を収容した投光側のヘッド５を組み付ける。受光側のヘッド６についても投光側のヘッド５と同様にしてハウジング２の他側の切欠２ｂ（図１）に組み付けて固定する。これにより、投光側のヘッド５の内側面５ｂ（ガラス１５の表面１５ａ）と受光側のヘッド６の内側面６ｂ（ガラス１６の表面１６ａ）とが平行に対向する。
【００４７】
投光側のヘッド５の内側面５ｂと受光側のヘッド６の内側面６ｂとが平行に対向することにより、投光側のミラー１１の反射面１１ａの反射光の光軸Ｏｆと受光側のミラー１３の反射面１３ａの入射光の光軸Ｏｆ’とが図３及び図４に示すように一致する。このように、投光側のヘッド５と受光側のヘッド６をハウジング２に組み付けるだけで投光側のミラー１１の反射面１１ａの反射光の光軸Ｏｆと受光側のミラー１３の反射面１３ａの入射光の光軸Ｏｆ’とを簡単かつ容易に一致させることができる。このようにして、ファイバユニット１が組み立てられる。
【００４８】
このファイバユニット１に光ファイバを取り付ける場合、図１４に示すようにハウジング２の孔２ｉ，２ｈ及び保持部材１２に投光側の光ファイバ３５の一端を挿入し、これらの孔２ｉと孔２ｈとの段差部に口金３７の端面を突き当ててねじ穴２ｐにねじ２４を螺合して固定する。この状態において光ファイバ３５は、中心軸Ｏがミラー１１の反射面１１ａの中心Ｏｃと一致し端面３５ａが反射面１１ａと僅かな間隔を存して対向している。受光側の光ファイバ３６（図１参照）についても投光側の光ファイバ３５と同様にしてハウジング２に組み付ける。そして、これらの光ファイバ３５，３６の他端は、図示しない計測器に接続される。
【００４９】
尚、上記実施形態では溝形のファイバユニットに適用した場合について記述したがこれに限るものではなく、ミラーを使用したサイドビューファイバユニットに適用することも可能である。
【００５０】
また、本発明は、投光側のヘッド５の内側面５ｂ及びガラス１５の表面１５ａに投光側のミラー１１の反射光の光軸Ｏｆを垂直に、受光側のヘッド６の内側面６ｂ及びガラス１６の表面１６ａに受光側のミラー１３の入射光の光軸Ｏｆ’を垂直に位置決めすることができるため、投・受光面を取付け基準面或いは投・受光面と平行な取付け基準面とが必要なファイバユニットに有効である。
【図面の簡単な説明】
【００５１】
【図１】本発明の一実施形態に係わるファイバユニットの正面図である。
【図２】図１に示したファイバユニットの平面図である。
【図３】図２に示したファイバユニットの矢線III-IIIに沿う断面図である。
【図４】図３に示したファイバユニットの矢線IV−IVに沿う断面図である。
【図５】図３に示したファイバユニットのミラー組立体の側面図である。
【図６】図５に示したミラー組立体の正面図である。
【図７】図６に示したミラー組立体の矢線VII−VIIに沿う断面図である。
【図８】図７に示したミラー組立体の保持部材にミラーを組み込む場合の説明図である。
【図９】図８に示した保持部材にミラーを組み込んだ状態の説明図である。
【図１０】図１に示したファイバユニットのヘッドの正面図である。
【図１１】図１０に示したヘッドの矢線XI−XIに沿う断面図である。
【図１２】図１１に示したヘッドに図６に示したミラー組立体を組み付けた状態の一部切欠正面図である。
【図１３】図１２に示したヘッドの矢線XIII−XIIIに沿う断面図である。
【図１４】図１３に示したヘッドを図２に示したハウジングに組み付けて光ファイバを取り付けた状態の断面図である。
【図１５】図１１に示したヘッドに図６に示したミラー組立体をミラーの反射光の光軸がずれた状態で組み付けた状態の一部切欠正面図である。
【図１６】従来の溝型のファイバユニットの一例を示す断面図である。
【符号の説明】
【００５２】
１    ファイバユニット
２    ハウジング
２ａ，２ｂ    切欠
２ｃ，２ｅ    上面
２ｄ，２ｆ    側面
２ｇ    下面
２ｈ，２ｉ，２ｊ，２ｋ    孔
２ｍ，２ｎ    側面
２ｐ，２ｑ    ねじ穴
３，４    ミラー組立体
５，６    ヘッド
５ａ，６ａ    下面
５ｂ，６ｂ    内側面
５ｃ，６ｃ    穴
５ｄ    底面
５ｅ，５ｆ，６ｅ    窓（穴）
５ｇ，６ｇ    外側面
５ｈ，６ｈ    ねじ穴
１１，１３    ミラー
１１ａ，１３ａ    反射面
１１ｂ    外周
１１ｃ    先端
１２，１４    保持部材
１２ａ    窓
１２ｂ，１２ｃ    開口端面
１２ｄ，１２ｅ    円
１２ｆ    上端面
１５、１６    ガラス
１５ａ，１６ａ    表面
２１    冶具
２１ａ  先端部
２１ｂ    上面
２１ｃ    下面
２３，２４    ねじ
３０    計測器
３１    ファイバユニット
３２    ハウジング
３２ａ，３２ｂ    孔
３３，３４    ミラー組立体
３５，３６    光ファイバ
３５ａ    端面
３７，３８    口金（取付金具）
４１，４３    ミラー
４１ａ，４３ａ    反射面
４２，４４    保持部材
４２ａ    窓
Ｏ    保持部材及び光ファイバの中心軸
Ｏｍ    ミラーの中心軸
Ｏｆ    ミラーの反射光の光軸
Ｏｆ’    ミラーの入射光の光軸
Ｏｃ    ミラーの反射面の中心
【図１】
2008020509.tif 000003
【図２】
2008020509.tif 000004
【図３】
2008020509.tif 000005
【図４】
2008020509.tif 000006
【図５】
2008020509.tif 000007
【図６】
2008020509.tif 000008
【図７】
2008020509.tif 000009
【図８】
2008020509.tif 000010
【図９】
2008020509.tif 000011
【図１０】
2008020509.tif 000012
【図１１】
2008020509.tif 000013
【図１２】
2008020509.tif 000014
【図１３】
2008020509.tif 000015
【図１４】
2008020509.tif 000016
【図１５】
2008020509.tif 000017
【図１６】
2008020509.tif 000018